(57)【要約】【課題】端末に対して、移動特性に応じたトラッキングエリアリストを提供可能とする。【解決手段】エリア数取得手段１２は、履歴情報記憶手段１１を参照し、所定時間以内に端末が存在していたトラッキングエリアの数を取得する。判定手段１３は、取得されたトラッキングエリアの数がしきい値以上であるか否かを判定する。リスト生成手段１４は、トラッキングエリアの数がしきい値以下と判断された場合、履歴情報記憶手段１１に記憶されるトラッキングエリアに基づいて第１のトラッキングエリアリストを生成する。送信手段１５は、トラッキングエリアの数がしきい値以下と判断された場合、第１のトラッキングエリアリストを端末に送信する。送信手段１５は、トラッキングエリアの数がしきい値より多いと判断された場合、第２のトラッキングエリアリストを端末に送信する。【選択図】図１
2022003719.tif 000002
【特許請求の範囲】
【請求項１】
端末が存在するトラッキングエリアと、時間情報とを記憶する履歴情報記憶手段と、
前記履歴情報記憶手段を参照し、所定時間以内に端末が存在していたトラッキングエリアの数を取得するエリア数取得手段と、
前記取得されたトラッキングエリアの数としきい値とを比較し、前記トラッキングエリアの数が前記しきい値以下であるか否かを判定する判定手段と、
前記トラッキングエリアの数が前記しきい値以下の場合、前記履歴情報記憶手段に記憶されるトラッキングエリアに基づいて第１のトラッキングエリアリストを生成するリスト生成手段と、
前記トラッキングエリアの数が前記しきい値以下の場合、前記第１のトラッキングエリアリストを前記端末に送信し、前記トラッキングエリアの数が前記しきい値より大きい場合、前記端末が存在するトラッキングエリアに応じて定まる第２のトラッキングエリアリストを前記端末に送信する送信手段とを備える呼処理制御装置。
【請求項２】
前記エリア数取得手段は、前記端末の新規加入者登録から一定時間が経過した後、所定時間以内に端末が存在していたトラッキングエリアの数を取得する請求項１に記載の呼処理制御装置。
【請求項３】
前記送信手段は、前記端末の新規加入者登録から一定時間経過までは、前記第２のトラッキングエリアリストを前記端末に送信する請求項１又は２に記載の呼処理制御装置。
【請求項４】
前記エリア数取得手段は、前記端末から位置登録要求があった場合、所定時間以内に端末が存在していたトラッキングエリアの数を取得する請求項１から３何れか１項に記載の呼処理制御装置。
【請求項５】
前記しきい値は、前記第１のトラッキングエリアリストに収容されるトラッキングエリアの数の最大値を示す請求項１から４何れか１項に記載の呼処理制御装置。
【請求項６】
前記リスト生成手段は、前記履歴情報記憶手段に記憶されるトラッキングエリアのうち、前記時間情報が、前記所定時間前の時刻以後を示すトラッキングエリアを前記第１のトラッキングエリアリストに含める請求項１から５何れか１項に記載の呼処理制御装置。
【請求項７】
複数のトラッキングエリアリストを記憶するトラッキングエリアリスト保持手段を更に有し、
前記送信手段は、前記トラッキングエリアリスト保持手段から、前記端末が存在するトラッキングエリアを含むトラッキングエリアリストを取得し、取得したトラッキングエリアリストを前記第２のトラッキングエリアリストとして前記端末に送信する請求項１から６何れか１項に記載の呼処理制御装置。
【請求項８】
前記端末は基地局に位置登録を要求し、前記履歴情報記憶手段は、前記基地局を介して前記端末が存在するトラッキングエリアを識別する情報を受信する請求項１から７何れか１項に記載の呼処理制御装置。
【請求項９】
端末が存在するトラッキングエリアと、時間情報とを記憶し、
所定時間以内に端末が存在していたトラッキングエリアの数を取得し、
前記取得されたトラッキングエリアの数と、しきい値とを比較し、
前記トラッキングエリアの数が前記しきい値以下の場合、前記記憶されるトラッキングエリアに基づいて第１のトラッキングエリアリストを生成し、
前記トラッキングエリアの数が前記しきい値以下の場合、前記第１のトラッキングエリアリストを前記端末に送信し、
前記トラッキングエリアの数が前記しきい値より大きい場合、前記端末が存在するトラッキングエリアに応じて定まる第２のトラッキングエリアリストを前記端末に送信するトラッキングエリアリスト提供方法。
【請求項１０】
ネットワーク装置に、
端末が存在するトラッキングエリアと、時間情報とを記憶し、
所定時間以内に端末が存在していたトラッキングエリアの数を取得し、
前記取得されたトラッキングエリアの数と、しきい値とを比較し、
前記トラッキングエリアの数が前記しきい値以下の場合、前記記憶されるトラッキングエリアに基づいて第１のトラッキングエリアリストを生成し、
前記トラッキングエリアの数が前記しきい値以下の場合、前記第１のトラッキングエリアリストを前記端末に送信し、
前記トラッキングエリアの数が前記しきい値より大きい場合、前記端末が存在するトラッキングエリアに応じて定まる第２のトラッキングエリアリストを前記端末に送信する処理を実行させるためのプログラム。
【発明の詳細な説明】
【技術分野】
【０００１】
本開示は、呼処理制御装置、トラッキングエリアリスト提供方法、及びプログラムに関する。
【背景技術】
【０００２】
ＭＭＥ（Mobility Management Entity）は、基地局（eNode B：evolved Node B）を収容し、端末の移動管理及び認証（セキュリティ制御）などを行う。ＭＭＥは、トラッキングエリア（ＴＡ：Tracking Area）と呼ばれる位置登録エリアを使って端末の位置を管理する。トラッキングエリアは、ＴＡＩ（Tracking Area Identifier）と呼ばれる識別子を用いて識別される。ＭＭＥは、複数のＴＡＩを含むＴＡＩリスト（トラッキングエリアリスト）を端末に提供する。端末のＴＡＩリストは、初期接続処理時、及び位置登録処理（ＴＡＵ：Tracking Area Update）時に更新される。
【０００３】
ここで、ＭＭＥにて、端末に静的にＴＡリストを割り当てている場合、ある端末に対して、在圏しないＴＡのＴＡＩを含むＴＡリストが提供される可能性がある。その場合、ＭＭＥからｅＮｏｄｅＢや端末へ、ページング信号を送信するエリアに無駄が発生する可能性がある。また、端末において、不要な位置登録が発生する可能性がある。
【０００４】
上記問題に対し、特許文献１は、移動機（端末）の移動パターンを認識し、移動機に、その移動パターンに沿ったＴＡＩリストを割り当てる無線通信システムを開示する。特許文献１に記載の無線通信システムにおいて、呼処理制御装置は、移動機ごとの移動エリアに沿ったエリアのＴＡＩをＴＡＩリストとして選択する。そのようにすることで、呼処理制御装置は、移動機の移動パターン上の基地局に対してページング要求を行うことができる。また、移動機における不要な位置登録の発生を抑制することができる。
【先行技術文献】
【特許文献】
【０００５】
【特許文献１】特開２０１０−２４５７１４号公報
【発明の概要】
【発明が解決しようとする課題】
【０００６】
しかしながら、特許文献１において、移動機の移動範囲の広さは考慮されていない。移動範囲が広い移動機に対して、移動エリアに沿ったエリアのＴＡＩがＴＡＩリストとして選択された場合、かえってＴＡＩ跨りが増え、位置登録処理が発生する頻度が増す懸念がある。
【０００７】
本開示は、上記事情に鑑み、端末に対して、移動特性に応じたトラッキングエリアリストを提供可能な呼処理制御装置、トラッキングエリアリスト提供方法、及びプログラムを提供することを目的とする。
【課題を解決するための手段】
【０００８】
上記目的を達成するために、本開示は、端末が存在するトラッキングエリアと、時間情報とを記憶する履歴情報記憶手段と、前記履歴情報記憶手段を参照し、所定時間以内に端末が存在していたトラッキングエリアの数を取得するエリア数取得手段と、前記取得されたトラッキングエリアの数としきい値とを比較し、前記トラッキングエリアの数が前記しきい値以下であるか否かを判定する判定手段と、前記トラッキングエリアの数が前記しきい値以下の場合、前記履歴情報記憶手段に記憶されるトラッキングエリアに基づいて第１のトラッキングエリアリストを生成するリスト生成手段と、前記トラッキングエリアの数が前記しきい値以下の場合、前記第１のトラッキングエリアリストを前記端末に送信し、前記トラッキングエリアの数が前記しきい値より大きい場合、前記端末が存在するトラッキングエリアに応じて定まる第２のトラッキングエリアリストを前記端末に送信する送信手段とを備える呼処理制御装置を提供する。
【０００９】
本開示は、端末が存在するトラッキングエリアと、時間情報とを記憶し、所定時間以内に端末が存在していたトラッキングエリアの数を取得し、前記取得されたトラッキングエリアの数と、しきい値とを比較し、前記トラッキングエリアの数が前記しきい値以下の場合、前記記憶されるトラッキングエリアに基づいて第１のトラッキングエリアリストを生成し、前記トラッキングエリアの数が前記しきい値以下の場合、前記第１のトラッキングエリアリストを前記端末に送信し、前記トラッキングエリアの数が前記しきい値より大きい場合、前記端末が存在するトラッキングエリアに応じて定まる第２のトラッキングエリアリストを前記端末に送信するトラッキングエリアリスト提供方法を提供する。
【００１０】
本開示は、ネットワーク装置に、端末が存在するトラッキングエリアと、時間情報とを記憶し、所定時間以内に端末が存在していたトラッキングエリアの数を取得し、前記取得されたトラッキングエリアの数と、しきい値とを比較し、前記トラッキングエリアの数が前記しきい値以下の場合、前記記憶されるトラッキングエリアに基づいて第１のトラッキングエリアリストを生成し、前記トラッキングエリアの数が前記しきい値以下の場合、前記第１のトラッキングエリアリストを前記端末に送信し、前記トラッキングエリアの数が前記しきい値より大きい場合、前記端末が存在するトラッキングエリアに応じて定まる第２のトラッキングエリアリストを前記端末に送信する処理を実行させるためのプログラムを提供する。
【発明の効果】
【００１１】
本開示に係る呼処理制御装置、トラッキングエリアリスト提供方法、及びプログラムは、端末に対して、移動特性に応じたトラッキングエリアリストを提供することができる。
【図面の簡単な説明】
【００１２】
【図１】本開示に係る呼処理制御装置を概略的に示すブロック図。
【図２】本開示の一実施形態に係る呼処理制御装置を含む通信システムを示すブロック図。
【図３】ＭＭＥの構成例を示すブロック図。
【図４】静的ＴＡＩリストの一例を示す図。
【図５】ＭＭＥの動作手順を示すフローチャート。
【図６】端末の移動経路を示す図。
【図７】履歴情報記憶部に記憶される情報の例を示す図。
【図８】履歴情報記憶部に記憶される情報の例を示す図。
【図９】履歴情報記憶部に記憶される情報の例を示す図。
【図１０】端末に送信される動的ＴＡＩリストの例を示す図。
【図１１】履歴情報記憶部に記憶される情報の他の例を示す図。
【図１２】履歴情報記憶部に記憶される情報の他の例を示す図。
【図１３】ネットワーク装置の構成例を示すブロック図。
【発明を実施するための形態】
【００１３】
本開示の実施の形態の説明に先立って、本開示の概要を説明する。図１は、本開示に係る呼処理制御装置を概略的に示す。呼処理制御装置１０は、履歴情報記憶手段１１、エリア数取得手段１２、判定手段１３、リスト生成手段１４、及び送信手段１５を有する。履歴情報記憶手段１１は、端末が存在するトラッキングエリアと、時間情報とを記憶する。エリア数取得手段１２は、履歴情報記憶手段１１を参照し、所定時間以内に端末が存在していたトラッキングエリアの数を取得する。
【００１４】
判定手段１３は、取得されたトラッキングエリアの数と、しきい値とを比較する。判定手段１３は、取得されたトラッキングエリアの数がしきい値以上であるか否かを判定する。リスト生成手段１４は、トラッキングエリアの数がしきい値以下と判断された場合、履歴情報記憶手段１１に記憶されるトラッキングエリアに基づいて第１のトラッキングエリアリストを生成する。
【００１５】
送信手段１５は、トラッキングエリアの数がしきい値以下と判断された場合、第１のトラッキングエリアリストを端末に送信する。送信手段１５は、トラッキングエリアの数がしきい値より多いと判断された場合、端末が存在するトラッキングエリアに応じて定まる第２のトラッキングエリアリストを端末に送信する。
【００１６】
本開示では、判定手段１３は、履歴情報記憶手段１１に記憶されている所定時間内のトラッキングエリアの数がしきい値以上であるか否かを判定する。送信手段１５は、トラッキングエリアの数がしきい値以上であると判断された場合、履歴情報記憶手段１１に記憶されるトラッキングエリアに基づいて生成された第１のトラッキングエリアリストを端末に送信する。送信手段１５は、トラッキングエリアの数がしきい値より多いと判断された場合、端末が存在するトラッキングエリアに応じて定まる第２のトラッキングエリアリストを端末に送信する。本開示は、トラッキングエリアの数に応じて端末に送信するトラッキングエリアリストを変えることで、端末に対し、その移動特性に応じたトラッキングエリアリストを提供することができる。
【００１７】
以下、本開示の実施の形態を詳細に説明する。図２は、本開示の一実施形態に係る呼処理制御装置を含む通信システムを示す。本実施形態において、通信システム１００は、例えば、３ＧＰＰ（3rd Generation Partnership Project）において定められている移動通信システムとして構成される。通信システム１００は、端末１０１、基地局１０２、ＭＭＥ１０３、ＳＧＷ（Serving Gateway）１０４、及びＰＧＷ（Packet data network Gateway）１０５を有する。通信システム１００において、ＭＭＥ１０３、ＳＧＷ１０４、及びＰＧＷ１０５は、コアネットワーク（ＥＰＣ：Evolved Packet Core）に配置される。
【００１８】
端末１０１は、３ＧＰＰにおいて移動端末装置として規定されている通信装置である。端末１０１は、携帯電話、スマートフォン、タブレット端末、又は通信機能を有するコンピュータ装置などとして構成される。基地局１０２は、３ＧＰＰにおいて基地局として規定されているノード装置である。基地局１０２は、無線通信エリアを形成し、自装置が管理する無線通信エリア内に在圏する端末１０１と無線通信を行う。
【００１９】
ＰＧＷ１０５は、移動通信システムと外部ネットワークとの境界に位置するノード装置である。ＰＧＷ１０５は、外部ネットワークから送信されたデータを、移動通信システム内のノード装置へ送信する。ＰＧＷ１０５は、ＳＧＷ１０４との間に通信ベアラを設定する。ＰＧＷ１０５は、外部ネットワークから送信されたデータを、通信ベアラを介してＳＧＷ１０４へ送信する。
【００２０】
ＳＧＷ１０４は、端末１０１に対するパケット着信が通知されると、ＭＭＥ１０３へ着信メッセージを通知する。また、ＳＧＷ１０４は、端末１０１と通信を行う基地局１０２に対して、端末１０１を宛先とするデータを送信する。
【００２１】
ＭＭＥ１０３は、端末１０１の位置を管理する位置登録エリア（トラッキングエリア）を定めている。ＭＭＥ１０３は、端末１０１が存在する位置を、トラッキングエリアの識別子（ＴＡＩ）を用いて管理する。各トラッキングエリアは、複数の基地局群から構成され得る。別の言い方をすると、各トラッキングエリアは、複数の基地局１０２が形成する複数の無線通信エリアを含み得る。ＭＭＥ１０３は、１以上トラッキングエリアの識別子（ＴＡＩ）を含むトラッキングエリアリスト（ＴＡＩリスト）を端末１０１に提供する。ＭＭＥ１０３は、端末１０１に対して着信があった場合、着信用のページメッセージを、ＴＡＩリストに含まれるエリアに送信する。
【００２２】
端末１０１は、ＭＭＥ１０３から提供されたＴＡＩリストを保持する。端末１０１は、ＴＡＩリストに含まれないトラッキングエリアに移動した場合、ＴＡＵプロシージャを実行し、ＭＭＥ１０３へ位置登録要求メッセージを送信する。ＭＭＥ１０３は、位置登録要求メッセージを受信すると、端末１０１の位置登録を行う。ＭＭＥ１０３は、図１に示される呼処理制御装置１０に対応する。
【００２３】
図３は、ＭＭＥ１０３の構成例を示す。ＭＭＥ１０３は、履歴情報記憶部１３１、ＴＡＩ数取得部１３２、判定部１３３、動的ＴＡＩリスト生成部１３４、静的ＴＡＩリスト保持部１３５、及びＴＡＩリスト送信部１３６を含む。
【００２４】
履歴情報記憶部１３１は、ストレージデバイスを含み、端末１０１（図２を参照）ごとに、端末が存在する（存在していた）トラッキングエリアの識別子（ＴＡＩ）と、時間情報（タイムスタンプ）とを記憶する。履歴情報記憶部１３１は、例えばＡｔｔａｃｈプロシージャ又はＴＡＵプロシージャの実施によるＴＡＩ通知Ｓ１ＡＰ（S1 Application Protocol）信号（例えばS1AP_Initial UE Message）を受信する。履歴情報記憶部１３１は、受信した信号に含まれるＴＡＩを、タイプスタントと共に記憶する。履歴情報記憶部１３１は、図１に示される履歴情報記憶手段１１に対応する。
【００２５】
ＴＡＩ数取得部１３２は、履歴情報記憶部１３１を参照し、所定時間内におけるＴＡＩの数を取得する。ＴＡＩ数取得部１３２は、例えばＴＡＵプロシージャが実施された場合、履歴情報記憶部１３１を参照し、ＴＡＵプロシージャが実施された時刻から所定時間内のＴＡＩの数を取得する。ＴＡＩ数取得部１３２は、図１に示されるエリア数取得手段１２に対応する。
【００２６】
判定部１３３は、ＴＡＩ数取得部１３２が取得したＴＡＩの数と所定のしきい値とを比較する。判定部１３３は、ＴＡＩの数がしきい値以下であるか否かを判定する。しきい値は、例えば、ＴＡリストに含まれ得るＴＡＩの最大数を示す。判定部１３３は、図１に示される判定手段１３に対応する。
【００２７】
動的ＴＡＩリスト生成部１３４は、判定部１３３においてＴＡＩの数がしきい値以下であると判定された場合、履歴情報記憶部１３１を参照し、ＴＡＵプロシージャを実施した端末１０１に対するＴＡＩリスト（第１のトラッキングエリアリスト。以下、動的ＴＡＩリストとも呼ぶ）を生成する。動的ＴＡＩリスト生成部１３４は、例えば、履歴情報記憶部１３１に記憶されるＴＡＩのうち直近の「ＴＡリストに含まれ得るＴＡＩの最大数」分のＴＡＩを含むＴＡＩリストを、動的ＴＡＩリストとして生成する。動的ＴＡＩリスト生成部１３４は、判定部１３３においてＴＡＩの数がしきい値より多いと判定された場合は、動的ＴＡＩリストを生成しない。動的ＴＡＩリスト生成部１３４は、図１に示されるリスト生成手段１４に対応する。
【００２８】
静的ＴＡＩリスト保持部（トラッキングエリアリスト保持手段）１３５は、ストレージデバイスを含み、ＭＭＥ１０３にて管理される複数のＴＡＩリスト（第２のトラッキングエリアリスト。以下、静的ＴＡＩリストとも呼ぶ）を記憶する。図４は、静的ＴＡＩリストの一例を示す。図４において、例えば、静的ＴＡＩリスト２０１は、ＴＡＩ＃１、＃５、＃６、＃７、＃１２、＃２６、＃６０、＃２０４４、及び＃２０４５を含む。静的ＴＡＩリスト２０２は、ＴＡＩ＃１１、＃１６、＃１７、＃１８、＃１１０、及び＃１１８を含む。静的ＴＡＩリスト２０３は、ＴＡＩ＃２、＃３、＃８、＃９、＃２０、及び＃１００を含む。静的ＴＡＩリスト２０４は、ＴＡＩ＃１０、＃１５、＃１９、及び＃１２０を含む。
【００２９】
ＴＡＩリスト送信部１３６は、動的ＴＡＩリスト生成部１３４が生成した動的ＴＡＩリスト、又は静的ＴＡＩリスト保持部１３５が保持する静的ＴＡＩリストを、端末１０１に送信する。ＴＡＩリスト送信部１３６は、判定部１３３においてＴＡＩの数がしきい値以下と判定された場合、動的ＴＡＩリストを端末１０１に送信する。ＴＡＩリスト送信部１３６は、判定部１３３においてＴＡＩの数がしきい値より多いと判定された場合、静的ＴＡＩリスト保持部１３５から、端末１０１が存在するＴＡＩを含む静的ＴＡＩリストを取得する。ＴＡＩリスト送信部１３６は、取得した静的ＴＡＩリストを端末１０１に送信する。
【００３０】
ＴＡＩリスト送信部１３６は、初回ＡｔｔａｃｈプロシージャやＴＡＵプロシージャ実施による新規加入者登録後、所定時間が経過するまでは、静的ＴＡＩリストを端末１０１に送信してもよい。その場合、ＴＡＩ数取得部１３２は、ＴＡＩ数を取得しなくてもよい。ＴＡＩリスト送信部１３６は、図１に示される送信手段１５に対応する。
【００３１】
次いで、動作手順を説明する。図５は、ＭＭＥ１０３の動作手順（トラッキングエリアリスト提供方法）を示す。履歴情報記憶部１３１は、端末１０１においてＡｔｔａｃｈプロシージャ又はＴＡＵプロシージャが実施された場合、基地局１０２（図２を参照）を介して端末１０１が在圏するＴＡＩを取得する（ステップＳ１）。履歴情報記憶部１３１は、例えばS1AP_Initial UE Messageから、ＴＡＩを取得する。履歴情報記憶部１３１は、取得したＴＡＩと、タイムスタンプとを記憶する（ステップＳ２）。
【００３２】
ＴＡＩ数取得部１３２は、Ａｔｔａｃｈプロシージャ又はＴＡＵプロシージャを実施した端末１０１について、新規加入者登録後、一定時間が経過したか否かを判断する（ステップＳ３）。ＴＡＩ数取得部１３２は、一定時間が経過していると判断した場合、履歴情報記憶部１３１に記憶される所定時間以内のＴＡＩの数を取得する（ステップＳ４）。例えば、ＴＡＩ数取得部１３２は、ステップＳ４では、タイムスタンプが過去所定時間分の時刻を示すＴＡＩの数を取得する。
【００３３】
判定部１３３は、取得されたＴＡＩの数が所定のしきい値以下であるか否かを判定する（ステップＳ５）。動的ＴＡＩリスト生成部１３４は、ステップＳ５でＴＡＩの数がしきい値以下と判定された場合、履歴情報記憶部１３１に記憶されたＴＡＩの履歴に基づいて、動的ＴＡＩリストを生成する（ステップＳ６）。ＴＡＩリスト送信部１３６は、ステップＳ６で生成された動的ＴＡＩリストを、ＡｔｔａｃｈプロシージャまたはＴＡＵプロシージャを実施した端末１０１に送信する（ステップＳ７）。
【００３４】
ＴＡＩリスト送信部１３６は、ステップＳ５においてＴＡＩの数がしきい値より多いと判定された場合、静的ＴＡＩリスト保持部１３５から静的ＴＡＩリストを取得する（ステップＳ８）。ステップＳ３において、新規加入者登録から一定時間が経過していないと判断された場合も、処理はステップＳ８に進み、静的ＴＡＩリストが取得される。ＴＡＩリスト送信部１３６は、取得した静的ＴＡＩリストを、ＡｔｔａｃｈプロシージャまたはＴＡＵプロシージャを実施した端末１０１に送信する（ステップＳ９）。
【００３５】
以下、具体例を用いて上記動作を説明する。図６は、端末１０１の移動経路を示す。以下では、図６に示されるように、端末１０１は、ＴＡＩ＃５において新規加入者登録を行い、その後、ＴＡＩ＃６、＃７、＃１２、＃１１、＃１８、＃１０、＃３、及び＃２の順に移動するものとする。静的ＴＡＩリストは、図４の例と同様であるとする。
【００３６】
図７−９は、履歴情報記憶部１３１に記憶される情報の例を示す。図７に示されるように、履歴情報記憶部１３１は、新規加入者登録が行われたＴＡＩ「５」と、タイムスタンプ「２０２０／１／１  ６：００」とを対応付けて記憶する。その後、端末１０１は、例えばＴＡＩ＃１１においてＴＡＵプロシージャを実施する。その場合、ＭＭＥ１０３（履歴情報記憶部１３１）は、ステップＳ１（図５を参照）においてＴＡＩ「１１」を取得する。履歴情報記憶部１３１は、ステップＳ２において、ＴＡＩ「１１」とタイムスタンプ「２０２０／１／１  １２：３０」とを対応付けて記憶する。
【００３７】
ＴＡＩ数取得部１３２は、ＴＡＩ「１１」のタイムスタンプと、新規加入者登録のタイムスタンプ（すなわちＴＡＩ「５」のタイムスタンプ）とを比較する。一定時間を２４時間とした場合、ＴＡＩ数取得部１３２は、ステップＳ３において新規加入者登録から一定時間経過していないと判断する。その場合、処理はステップＳ８に進み、ＴＡＩリスト送信部１３６は、静的ＴＡＩリスト保持部１３５から静的ＴＡＩリストを取得する。ＴＡＩリスト送信部１３６は、端末１０１がＴＡＩ＃１１に存在する場合は、静的ＴＡＩリスト２０２（図６を参照）を取得する。ＴＡＩリスト送信部１３６は、ステップＳ９で、取得した静的ＴＡＩリスト２０２を端末１０１に送信する。
【００３８】
端末１０１がＴＡＩ＃２からＴＡＩ＃５に進み、２０２０／１／２の６：００にＴＡＩ＃５においてＴＡＵプロシージャが実施されたとする。その場合、履歴情報記憶部１３１は、ステップＳ１においてＴＡＩ「５」を取得する。履歴情報記憶部１３１は、ステップＳ２において、ＴＡＩ「５」と、タイムスタンプ「２０２０／１／２  ６：００」とを対応付けて記憶する（図８を参照）。
【００３９】
ＴＡＩ数取得部１３２は、ＴＡＩ「５」のタイムスタンプと、新規加入者登録のタイムスタンプとを比較する。一定時間を２４時間とした場合、ＴＡＩ数取得部１３２は、ステップＳ３において新規加入者登録から一定時間経過したと判断する。その場合、処理はステップＳ４に進み、ＴＡＩ数取得部１３２は、履歴情報記憶部１３１から、所定時間以内、例えば２４時間以内のＴＡＩの数を取得する。より詳細には、ＴＡＩ数取得部１３２は、タイムスタンプが、２０２０／１／１の６：００以後の時刻を示すＴＡＩの数を取得する。図８の例では、直近２４時間の移動パターンは破線で囲まれる９つのＴＡＩであり、ＴＡＩ数取得部１３２は、最新のＴＡＩを加えた「１０」を、所定時間内のＴＡＩの数として取得する。
【００４０】
判定部１３３は、ステップＳ５において、ＴＡＩの数としきい値とを比較する。例えばしきい値及びＴＡＩリストに含まれ得るＴＡＩの最大数は「１０」であるとする。その場合、判定部１３３は、ステップＳ５においてＴＡＩの数「１０」はしきい値「１０」以下であると判定する。動的ＴＡＩリスト生成部１３４は、ステップＳ６において、動的ＴＡＩリストを生成する。より詳細には、動的ＴＡＩリスト生成部１３４は、図９において実線で囲まれる直近の「１０」個のＴＡＩを含むＴＡＩリストを、動的ＴＡＩリストとして生成する。ＴＡＩリスト送信部１３６は、ステップＳ７において、生成された動的ＴＡＩリストを端末１０１に送信する。
【００４１】
図１０は、端末１０１に送信される動的ＴＡＩリストの例を示す。上記の場合、ＴＡＩリスト送信部１３６は、ＴＡＩ＃５、＃６、＃７、＃１２、＃１１、＃１８、＃１０、＃３、及び＃２を含む動的ＴＡＩリスト２１０を端末１０１に送信する。端末１０１が、前日（２０２０／１／１）と同様の移動パターンで移動する場合、端末１０１は、動的ＴＡＩリストに含まれるＴＡＩ内で移動する。仮に、端末１０１に対して図６に示される静的ＴＡＩリストが送信されたとした場合、ＴＡＩリスト跨りが４回発生し、端末１０１がＴＡＩリストを跨いで移動するたびにＴＡＵプロシージャが実施される。端末１０１に対して上記動的ＴＡＩリストを送信することで、ＴＡＩ跨りが発生せず、不要な位置登録要求の発生を抑制できる。
【００４２】
図１１−１２は、履歴情報記憶部１３１に記憶される情報の他の例を示す。図６において、端末１０１が、ＴＡＩ＃２からＴＡＩ＃２０及び＃２６へ移動したとする。その場合、図１１に示されるように、履歴情報記憶部１３１は、図７に示される情報に加えて、ＴＡＩ「２０」とタイムスタンプ「２０２０／１／２  ２：３０」とを対応付けて記憶する。また、履歴情報記憶部１３１は、ＴＡＩ「２６」とタイムスタンプ「２０２０／１／２  ４：３０」とを対応付けて記憶する。
【００４３】
その後、履歴情報記憶部１３１は、ステップＳ１において、ＴＡＩ「５」を取得したとする。履歴情報記憶部１３１は、ステップＳ２において、ＴＡＩ「５」をタイムスタンプ「２０２０／１／２  ６：００」と対応付けて記憶する（図１２を参照）。ＴＡＩ数取得部１３２は、ステップＳ３において、新規加入者登録から２４時間が経過したか否かを判断する。ＴＡＩ数取得部１３２は、ステップＳ３において新規加入者登録から一定時間経過したと判断する。その場合、ＴＡＩ数取得部１３２は、タイムスタンプが、２０２０／１／１の６：００以後の時刻を示すＴＡＩの数を取得する。図１２の例では、ＴＡＩ数取得部１３２は、破線で囲まれるＴＡＩの数「１１」を取得する。
【００４４】
判定部１３３は、ステップＳ５において、ＴＡＩの数「１２」としきい値「１０」とを比較し、ＴＡＩの数はしきい値より多いと判定する。その場合、処理はステップＳ８に進み、ＴＡＩリスト送信部１３６は、静的ＴＡＩリスト保持部１３５から静的ＴＡＩリストを取得する。ＴＡＩリスト送信部１３６は、ステップＳ８では、ＴＡＩ＃５が含まれる静的ＴＡＩリスト２０１（図６を参照）を取得する。ＴＡＩリスト送信部１３６は、ステップＳ９で、取得した静的ＴＡＩリスト２０１を端末１０１に送信する。
【００４５】
本実施形態では、履歴情報記憶部１３１は、端末１０１が在圏するＴＡＩを記憶し、判定部１３３は、所定時間内のＴＡＩの数がしきい値以下であるか否かを判定する。動的ＴＡＩリスト生成部１３４は、所定時間内のＴＡＩの数がしきい値以下であると判定された端末１０１、つまり狭い範囲で移動する端末１０１に対して、履歴情報記憶部１３１に記憶されるＴＡＩに基づいて動的ＴＡＩリストを生成する。ＴＡＩリスト送信部１３６は、生成された動的ＴＡＩリストを端末１０１に送信する。所定時間内における移動範囲が狭い端末は、その後の移動範囲も狭く、所定時間内における移動範囲から外に出る可能性が低いと考えられる。このため、そのような端末に対して、所定時間内に在圏したＴＡＩを含む動的ＴＡＩリストを送信することで、ＴＡＩリスト跨りの発生を抑制することができ、不要な位置登録契機を抑制できる。
【００４６】
本実施形態では、ＴＡＩリスト送信部１３６は、所定時間内のＴＡＩの数がしきい値より多いと判断された端末１０１、つまり広い範囲で移動する端末１０１に対して、静的ＴＡＩリスト保持部１３５から取得した静的ＴＡＩリストを送信する。広い範囲で移動する端末は、これまでに移動してきたトラッキングエリアとは異なるトラッキングエリアに移動する可能性が高いと考えられる。この場合、所定時間内に在圏したＴＡＩを含む動的ＴＡＩリストを送信するより、ＭＭＥにて保持される静的ＴＡＩリストを端末１０１に送信した方が、ＴＡＩ跨りの発生を抑制できると考えられる。このように、本実施形態では、端末１０１の移動特性に応じて動的ＴＡＩリスト又は静的ＴＡＩリストを端末１０１に送信することで、ＴＡＩリスト跨りの発生を抑制可能なＴＡＩリストを端末１０１に提供できる。
【００４７】
続いて、ＭＭＥのハードウェア構成を説明する。図１３は、ＭＭＥ１０３として用いられる得るネットワーク装置の構成例を示す。ネットワーク装置５００は、ネットワークインターフェース５１０、プロセッサ５３０、及びメモリ５５０を含む。ネットワークインターフェース５１０は、例えば基地局１０２及びＳＧＷ１０４などのネットワークノードとの間の通信に使用される。プロセッサ５３０は、メモリ５５０からソフトウェア（コンピュータプログラム）を読み出して実行することで、上述の実施形態において説明されたＭＭＥ１０３内の機能の少なくとも一部を実現する。
【００４８】
メモリ５５０は、揮発性メモリ及び不揮発性メモリを含む。メモリ５５０は、ソフトウェアモジュール群を格納する。メモリ５５０は、プロセッサ５３０から離れて配置されたストレージを含み得る。プロセッサ５３０は、図示されていないＩ／Ｏ（Input / Output）インタフェースを介してメモリ５５０にアクセスしてもよい。
【００４９】
上記コンピュータプログラムは、様々なタイプの非一時的なコンピュータ可読媒体を用いて格納され、ネットワーク装置に供給することができる。非一時的なコンピュータ可読媒体は、様々なタイプの実体のある記憶媒体を含む。非一時的なコンピュータ可読媒体の例は、例えばフレキシブルディスク、磁気テープ、又はハードディスクなどの磁気記録媒体、例えば光磁気ディスクなどの光磁気記録媒体、ＣＤ（compact disc）、又はＤＶＤ（digital versatile disk）などの光ディスク媒体、及び、マスクＲＯＭ（read only memory）、ＰＲＯＭ（programmable ROM）、ＥＰＲＯＭ（erasable PROM）、フラッシュＲＯＭ、又はＲＡＭ（random access memory）などの半導体メモリを含む。また、プログラムは、様々なタイプの一時的なコンピュータ可読媒体を用いてネットワーク装置に供給されてもよい。一時的なコンピュータ可読媒体の例は、電気信号、光信号、及び電磁波を含む。一時的なコンピュータ可読媒体は、電線及び光ファイバなどの有線通信路、又は無線通信路を介して、プログラムをネットワーク装置に供給できる。
【００５０】
以上、本開示の実施形態を詳細に説明したが、本開示は、上記した実施形態に限定されるものではなく、本開示の趣旨を逸脱しない範囲で上記実施形態に対して変更や修正を加えたものも、本開示に含まれる。
【００５１】
例えば、上記の実施形態の一部又は全部は、以下の付記のようにも記載され得るが、以下には限られない。
【符号の説明】
【００５２】
１０：呼処理制御装置
１１：履歴情報記憶手段
１２：エリア数取得手段
１３：判定手段
１４：リスト生成手段
１５：送信手段
１００：通信システム
１０１：端末
１０２：基地局
１０３：ＭＭＥ
１０４：ＳＧＷ
１０５：ＰＧＷ
１３１：履歴情報記憶部
１３２：ＴＡＩ数取得部
１３３：判定部
１３４：動的ＴＡＩリスト生成部
１３５：静的ＴＡＩリスト保持部
１３６：ＴＡＩリスト送信部
【図１】
2022003719.tif 000003
【図２】
2022003719.tif 000004
【図３】
2022003719.tif 000005
【図４】
2022003719.tif 000006
【図５】
2022003719.tif 000007
【図６】
2022003719.tif 000008
【図７】
2022003719.tif 000009
【図８】
2022003719.tif 000010
【図９】
2022003719.tif 000011
【図１０】
2022003719.tif 000012
【図１１】
2022003719.tif 000013
【図１２】
2022003719.tif 000014
【図１３】
2022003719.tif 000015